(57)【要約】【課題】大型の玉軸受であっても玉の保持が可能であると共に、剛性も向上できる玉軸受用保持器を提供すること。【解決手段】保持器４を、複数の一方側交互玉案内セグメント９０と、複数の他方側交互玉案内セグメント９１とで構成する。各一方側交互玉案内セグメント９０が、ポケット６の軸方向の一方側を画定する一方側の玉案内部５０を複数有し、各他方側交互玉案内セグメント９１が、軸方向に対向する一方側の玉案内部５０と相俟ってポケット６を画定する玉案内部５０を複数有するようにする。各一方側交互玉案内セグメント９０が、二つの他方側玉案内セグメント９１との間でポケット６を構成し、各他方側交互玉案内セグメント９１が、二つの一方側玉案内セグメント９０との間でポケット６を構成するようにする。一方側交互玉案内セグメント９０と、他方側交互玉案内セグメント９１とを、周方向に交互に配置する。【選択図】図３
2015197107.tif 000002
【特許請求の範囲】
【請求項１】
円の略周方向に互いに間隔をおいて位置する複数のポケットを有すると共に、複数のセグメントを接合してなる一体の玉軸受用保持器において、
上記複数のセグメントは、複数の一方側交互玉案内セグメントと、複数の他方側交互玉案内セグメントとを含み、
上記各一方側交互玉案内セグメントは、上記ポケットにおける上記円の軸方向の一方側を画定する一方側玉案内部を複数有する一方、上記各他方側交互玉案内セグメントは、上記ポケットにおける上記軸方向の他方側を画定する他方側玉案内部を複数有し、
上記一方側交互玉案内セグメントと、上記他方側交互玉案内セグメントとは、上記周方向に交互に配置され、
上記軸方向に対向する上記一方側玉案内部と上記他方側玉案内部とで上記ポケットを画定することを特徴とする玉軸受用保持器。
【請求項２】
請求項１に記載の玉軸受用保持器において、
非環状であることを特徴とする玉軸受用保持器。
【請求項３】
請求項１に記載の玉軸受用保持器において、
上記複数のセグメントは、略上記周方向に延在する貫通穴である長穴が存在する長穴存在セグメントを含み、
上記長穴にはその長穴存在セグメントに上記セグメントを締結する締結部材の軸部が上記周方向に移動可能に貫通していることを特徴とする玉軸受用保持器。
【請求項４】
請求項１または２に記載の玉軸受用保持器において、
上記複数の一方側交互玉案内セグメントは、同一であると共に、上記複数の他方側交互玉案内セグメントも、同一であり、
更に、上記一方側交互玉案内セグメントが、上記他方側交互玉案内セグメントと同一であることを特徴とする玉軸受用保持器。
【発明の詳細な説明】
【技術分野】
【０００１】
本発明は、玉軸受用保持器に関する。
【背景技術】
【０００２】
従来、玉軸受用保持器（以下、単に保持器という）としては、特公平０５−０２２０８６号公報に記載されているものがある。この保持器は、外輪の内周面と内輪の外周面との間に周方向に延在するように配置されている。この玉軸受用保持器は、周方向に延びる円弧状の複数の樹脂製のセグメントから成る。各セグメントに一つずつ形成されたポケットに玉を収容することによって、玉を周方向に所定間隔毎に配置している。また、周方向に隣接する各２つのセグメントの間には、隙間が存在している。上記従来技術では、保持器を、複数のセグメントで構成することによって、一体成形の保持器の制作が困難である大型の玉軸受であっても、保持器での玉の保持を可能とし、玉同士の接触を防止し、玉の転動を円滑にしている。
【０００３】
しかしながら、上記従来の保持器では、周方向に隣接する各２つのセグメントの間に隙間が形成されているので、各セグメントが独立に運動できて、各セグメントが、遠心力や玉の進み遅れにより周方向や径方向に大きく振れて、この大きな振れによって保持器や玉の挙動が不安定になる。また、上記保持器や玉の挙動が不安定になるから、玉軸受の回転に伴って異音が発生する。
【先行技術文献】
【特許文献】
【０００４】
【特許文献１】特公平０５−０２２０８６号公報
【発明の概要】
【発明が解決しようとする課題】
【０００５】
そこで、本発明の課題は、大型の玉軸受であっても玉の保持が可能であると共に、剛性も向上できて振れを抑制できる玉軸受用保持器を提供することにある。
【課題を解決するための手段】
【０００６】
上記課題を解決するため、この発明の玉軸受用保持器は、
円の略周方向に互いに間隔をおいて位置する複数のポケットを有すると共に、複数のセグメントを接合してなる一体の玉軸受用保持器において、
上記複数のセグメントは、複数の一方側交互玉案内セグメントと、複数の他方側交互玉案内セグメントとを含み、
上記各一方側交互玉案内セグメントは、上記ポケットにおける上記円の軸方向の一方側を画定する一方側玉案内部を複数有する一方、上記各他方側交互玉案内セグメントは、上記ポケットにおける上記軸方向の他方側を画定する他方側玉案内部を複数有し、
上記一方側交互玉案内セグメントと、上記他方側交互玉案内セグメントとは、上記周方向に交互に配置され、
上記軸方向に対向する上記一方側玉案内部と上記他方側玉案内部とで上記ポケットを画定することを特徴としている。
【０００７】
尚、上記各セグメントは、一体不可分である。
【０００８】
また、上記「円の略周方向に互いに間隔をおいて位置する複数のポケット」という文言は、玉軸受用保持器に存在する複数のポケットが、ある円の略周方向に間隔をおいて位置していれば満たされ、そのような円が存在すれば満たされるものとする。
【０００９】
本発明によれば、玉軸受用保持器（以下、単に、保持器という）を、複数のセグメントを結合して構成するから、一体成形の大型の玉軸受であっても、保持器を構成することができる。
【００１０】
また、本発明によれば、一方側交互玉案内セグメントと他方側交互玉案内セグメントとを周方向に交互に配置すると共に、軸方向に対向する一方側玉案内部と他方側玉案内部とでポケットを画定するから、各一方側交互玉案内セグメントが、必ず他方側交互玉案内セグメントの玉案内部に対向して、必ず他方側交互玉案内セグメントの端部以外の部分に対向するようにできる。同様に、各他方側交互玉案内セグメントも、必ず一方側交互玉案内セグメントの玉案内部に対向して、必ず一方側交互玉案内セグメントの端部以外の部分に対向するようにできる。したがって、二つの他方側交互玉案内セグメントを、一方側交互玉案内セグメントの端部以外の領域で接続でき、また、二つの一方側交互玉案内セグメントも、他方側交互玉案内セグメントの端部以外の領域で接続できる。したがって、保持器の剛性を大きくできて、保持器の挙動を安定させることができて、玉の挙動を安定させることができる。また、上記保持器や玉の挙動を安定させることができるから、異音の発生も抑制できる。
【００１１】
また、一実施形態では、
一体かつ非環状である。
【００１２】
保持器のサイズが大きくなれば、湿度や温度に基づく保持器の伸縮も大きくなる。したがって、保持器が環状の構造であって、かつ、保持器が伸縮を吸収できない構造である場合、保持器に保持器の伸縮に基づく予期せぬ力が作用して、保持器が所望でない変形をして、玉の転動特性に悪影響を及ぼすことがある。
【００１３】
上記実施形態によれば、保持器が非環状の構造を有して、保持器の周方向の位相において保持器が存在しない開口部が存在するから、この開口部で湿度や温度に基づく保持器の周方向の伸縮を吸収できる。したがって、保持器に予期せぬ力が作用することを抑制できて、保持器の変形等を抑制できる。
【００１４】
また、一実施形態では、
上記複数のセグメントは、略上記周方向に延在する貫通穴である長穴が存在する長穴存在セグメントを含み、
上記長穴にはその長穴存在セグメントに上記セグメントを締結する締結部材の軸部が上記周方向に移動可能に貫通している。
【００１５】
上記実施形態によれば、長穴存在セグメントに他のセグメントを締結するための締結部材の軸部が貫通し、その軸部が長穴内を周方向に移動可能になっている。したがって、長穴内での軸部の周方向の移動によって保持器の伸縮を吸収できるから、保持器に予期せぬ力が作用することを抑制できて、保持器の変形等を抑制できる。
【００１６】
また、上記実施形態によれば、環状構造であって、かつ、保持器の伸縮を吸収できる構成を実現できるから、開口部が存在する非環状の構造と比較して、開口部の存在に基づく挙動の不安定性が発生することもなく、また、開口部の存在に基づく異音が発生することもない。
【００１７】
また、一実施形態では、
上記複数の一方側交互玉案内セグメントは、同一であると共に、上記複数の他方側交互玉案内セグメントも、同一であり、
更に、上記一方側交互玉案内セグメントが、上記他方側交互玉案内セグメントと同一である。
【００１８】
上記実施形態によれば、全ての交互玉案内セグメント（一方側交互玉案内セグメント、他方側交互玉案内セグメント）が、同一であるから、保持器の剛性を、周方向においてより均一に近づけることができる。したがって、保持器の回転特性を良好なものにすることができる。
【発明の効果】
【００１９】
本発明の保持器によれば、大型の玉軸受であっても玉を保持でき、かつ、剛性も向上できて、振れも抑制できる。したがって、保持器の挙動を安定させることができるから、玉の挙動を安定させることができ、異音の発生も抑制できる。
【図面の簡単な説明】
【００２０】
【図１】本発明の第１実施形態である玉軸受の軸方向の断面図である。
【図２】上記第１実施形態の玉軸受の周方向の一部分の模式正面図である。
【図３】上記玉軸受の保持器の周方向の一部を、径方向の外方側から見たときの模式図である。
【図４】第２実施形態の保持器における図３に対応する模式図である。
【図５】第３実施形態の保持器における図３に対応する模式図である。
【発明を実施するための形態】
【００２１】
以下、本発明を図示の形態により詳細に説明する。
【００２２】
図１は、本発明の第１実施形態である玉軸受の軸方向の断面図である。
【００２３】
この玉軸受は、外輪１と、内輪２と、複数の玉３と、環状の玉軸受用保持器（以下、単に、保持器という）４とを備える。上記外輪１の外周面は、ＣＴスキャナの旋回座のハウジング（図示せず）に嵌合固定され、内輪２の内周面は、回転軸（図示しない）に外嵌されて固定されている。上記外輪１の内周面および内輪２の外周面には軌道溝が形成されている。上記保持器４は、外輪１の内周面と内輪２の外周面との間に配置されている。上記保持器４は、玉３を収容するポケット６を有している。上記複数の玉３は、外輪１の軌道溝と内輪２の軌道溝との間に、保持器４のポケット６に収容された状態で、周方向に互いに間隔をおいて位置している。
【００２４】
図２は、上記第１実施形態の玉軸受の周方向の一部分の模式正面図である。
【００２５】
上記保持器４は、複数の樹脂製のセグメント４１と、複数の鋼製のリベット４２とを有する。上記各リベット４２は、締結部材を構成している。図２に示すように、上記各セグメント４１は、円弧状の形状を有している。上記各リベット４２は、周方向に隣接する二つの玉３の周方向の間に位置している。
【００２６】
図３は、上記保持器４の周方向の一部を、径方向の外方側から見たときの模式図である。
【００２７】
図３に示すように、この保持器４は、複数のセグメント４１からなる。また、複数のセグメント４１は、複数の一方側交互玉案内セグメント９０と、複数の他方側交互玉案内セグメント９１とからなる。上記各一方側交互玉案内セグメント９０は、玉３の軸方向の一方側の移動を制限し、各他方側交互玉案内セグメント９１は、玉３の軸方向の他方側の移動を制限している。上記複数の一方側交互玉案内セグメント９０は、全て同一であり、上記複数の他方側交互セグメント９１も同一である。また、上記一方側交互玉案内セグメント９０と、他方側交互セグメント９１とも、同一となっている。
【００２８】
図３には、一つの要素である一のセグメント４１を斜線で示している。斜線で表わしたセグメント４１に示すように、各セグメント４１は、一体構造を有し、二つの玉案内部５０と、三つの連結部５１とを有する。その三つの連結部５１は、一端側連結部６１と、中央連結部６２と、他端側連結部６３とからなっている。上記各玉案内部５０は、略半球状に窪んだ一つの凹部５３を有する。上記二つの玉案内部５０は、保持器４の周方向に互いに間隔をおいて位置している。
【００２９】
一方、上記各連結部５１は、平坦な平板からなっている。図２に示すように、上記各連結部５１は、円弧状の形状を有している。上記三つの連結部５１は、保持器４の周方向に互いに間隔をおいて位置している。
【００３０】
上記各一方側交互玉案内セグメント９０の各玉案内部５０は、ポケット６における保持器４の軸方向の一方側を画定する一方、各他方側交互玉案内セグメント９１の各玉案内部５０は、ポケット６における保持器４の軸方向の他方側を画定している。上記各一方側交互玉案内セグメント９０が有する各玉案内部５０は、一方側玉案内部を構成し、各他方側交互玉案内セグメント９１が有する各玉案内部５０は、他方側玉案内部を構成している。各一方側玉案内部は、必ず他方側玉案内部と、軸方向に対向している。各一方側玉案内部は、他方側玉案内部と相俟ってポケット６を構成している。尚、上記保持器４の軸方向は、図３に矢印Ａで示す方向であり、上記保持器４の軸方向は、複数のポケット６が間隔をおいて位置している周方向を定義する円（仮想円）の軸方向に一致している。上記一方側交互玉案内セグメント９０の玉案内部５０は、他方側交互玉案内セグメント９１の玉案内部５０と相俟ってポケット６を構成している。
【００３１】
図３に示すように、一方側交互玉案内セグメント９０と、他方側交互玉案内セグメント９１とは、保持器４の周方向に交互に配置されている。詳しくは、一方側交互玉案内セグメント９０において図３に矢印Ｂで示す周方向の一方側に位置する玉案内部５０は、他方側交互玉案内セグメント９１において周方向の他方側に位置する玉案内部５０と相俟ってポケット６を構成している。また、一方側交互玉案内セグメント９０の周方向の他方側に位置する玉案内部５０は、他方側交互玉案内セグメント９１の周方向の一方側に位置する玉案内部５０と相俟ってポケット６を構成している。各一方側交互玉案内セグメント９０は、二つの他方側交互セグメント９１との間でポケット６を構成し、各他方側交互セグメント９１も、二つの一方側交互セグメント９０との間でポケット６を構成している。上記保持器４が備える一方側交互玉案内セグメント９０の数は、保持器４が備える他方側交互玉案内セグメント９１の数と一致している。
【００３２】
上記一方側交互玉案内セグメント９０の一端側連結部６１は、周方向の一方側に位置する玉案内部５０から周方向の一方側に延在する一方、一方側交互玉案内セグメント９０の他端側連結部６３は、周方向の他方側に位置する玉案内部５０から周方向の他方側に延在している。また、一方側交互玉案内セグメント９０の中央連結部６２は、一方側交互玉案内セグメント９０において周方向の一方側に位置する玉案内部５０と、一方側交互玉案内セグメント９０において周方向の他方側に位置する玉案内部５０との間を連結している。
【００３３】
また、上記他方側交互玉案内セグメント９１の一端側連結部６１は、周方向の他方側に位置する玉案内部５０から周方向の他方側に延在する一方、他方側交互玉案内セグメント９１の他端側連結部６３は、周方向の一方側に位置する玉案内部５０から周方向の一方側に延在している。また、他方側交互玉案内セグメント９１の中央連結部６２は、他方側交互玉案内セグメント９１において周方向の一方側に位置する玉案内部５０と、他方側交互玉案内セグメント９１において周方向の他方側に位置する玉案内部５０との間を連結している。
【００３４】
図３に示すように、各交互玉案内セグメント９０,９１の一端側連結部６１は、一端側の玉案内部５０の軸方向かつ周方向の一端から連結部５１を構成する平板の厚さ程度の長さについて保持器４の軸方向に間隔をおいた位置から、保持器４の周方向に延在している。一方、各交互玉案内セグメント９０,９１の他端側連結部６３は、他端側の玉案内部５０の軸方向かつ周方向の他端から、保持器４の周方向に延在している。
【００３５】
図３に示すように、上記一端側連結部６１は、軸方向の貫通穴であるリベット挿通穴８１を有し、中央連結部６２は、軸方向の貫通穴であるリベット挿通穴８２を有し、他端側連結部６３は、軸方向の貫通穴であるリベット挿通穴８３を有する。図３に示すように、上記一方側交互玉案内セグメント９０の一端側連結部６１と、他方側交互玉案内セグメント９１の中央連結部６２との間に一方側交互玉案内セグメント９０の他方側連結部６３が配置されている。上記一方側交互玉案内セグメント９０の一端側連結部６１と、一方側交互玉案内セグメント９０の他方側連結部６３と、他方側交互玉案内セグメント９１の中央連結部６２とは、各連結部６１,６２,６３のリベット挿通穴８１,８２,８３に挿通されたリベット４２によって接合されている。
【００３６】
また、図３に示すように、上記一方側交互玉案内セグメント９０の中央連結部６２と、他方側交互玉案内セグメント９１の一端側連結部６１との間に他方側交互玉案内セグメント９１の他方側連結部６３が配置されている。上記一方側交互玉案内セグメント９０の中央連結部６２と、他方側交互玉案内セグメント９１の他方側連結部６３と、他方側交互玉案内セグメント９１の一方側連結部６１とは、各連結部６１,６２,６３のリベット挿通穴８１,８２,８３に挿通されたリベット４２によって接合されている。
【００３７】
尚、上記リベット４２の接合においては、上記各リベット４２の軸部を、三つのリベット挿通穴８１〜８３に挿通した後、リベット４２の軸部の先端部をかしめている。このようにして、周方向に隣接する各二つのポケット６の間の周方向の領域において、各リベット４２で、三つの交互玉案内セグメント９０,９０,９１（または９０,９１,９１）を結合している。
【００３８】
上記第１実施形態によれば、保持器４を、複数のセグメント４１を結合して構成するから、一体成形の大型の玉軸受であっても、保持器４を構成することができる。
【００３９】
また、上記第１実施形態によれば、一方側交互玉案内セグメント９０と、他方側交互玉案内セグメント９１とが、ポケット６を構成するから、各一方側交互玉案内セグメント９０が、必ず他方側交互玉案内セグメント９１の玉案内部５０に対向して、必ず他方側交互玉案内セグメント９１の端部以外の部分に対向する。また、同様に、各他方側交互玉案内セグメント９１も、必ず一方側交互玉案内セグメント９０の玉案内部５０に対向して、必ず一方側交互玉案内セグメント９０の端部以外の部分に対向することになる。そして、各一方側交互玉案内セグメント９０を、一の他方側交互玉案内セグメント９１における、中央連結部６２と、一端側連結部６１および他方側連結部６３のうちの一方との二箇所で接合できる。また、同様に、各他方側交互玉案内セグメント９１を、一の一方側交互玉案内セグメント９０における、中央連結部６２と、一端側連結部６１および他方側連結部６３のうちの一方との二箇所で接合できる。したがって、各交互玉案内セグメント９０（または９１）を、一つの交互玉案内セグメント９１（または９０）の端部以外の領域で接続できると共に、その交互玉案内セグメント９１（または９０）の二箇所で接合できるから、保持器４の剛性を大きくできる。したがって、保持器４の挙動を安定させることができ、玉３の挙動を安定させることができる。また、上記保持器４や玉３の挙動を安定させることができるから、異音の発生も抑制できる。
【００４０】
また、上記第１実施形態によれば、全ての交互玉案内セグメント９０,９１を同一として、各交互玉案内セグメント９０,９１を、軸方向の中心に対して軸方向の一方側と他方側とで互い違いに配置しているから、全てのセグメント４１を同一の方法で製造できて、セグメント４１を安価に量産できる。したがって、保持器４の製造コストを低減できる。
【００４１】
尚、上記第１実施形態では、交互玉案内セグメント９０,９１が二つの玉案内部５０を有していたが、この発明では、交互玉案内セグメントは、三以上の玉案内部を有していても良い。
【００４２】
また、上記第１実施形態では、保持器４に存在する全てのセグメント４１を、同一の交互玉案内セグメント９０,９１としたが、この発明では、保持器に存在する複数の交互玉案内セグメントが、二以上の異なる交互玉案内セグメントを含んでも良い。尚、この場合、互いに異なる交互玉案内セグメントは、玉案内部の数が異なっても良く、連結部の長さが異なっても良く、玉案内部の数と連結部の長さとの両方が異なっても良い。
【００４３】
また、上記第１実施形態では、保持器４に存在する全てのセグメント４１が、交互玉案内セグメント９０,９１であったが、この発明では、保持器に存在する少なくとも一つのセグメントは、玉案内部を一つも有さないセグメントであっても良い。また、この発明では、保持器に存在する少なくとも一つのセグメントは、玉案内部を有するセグメントではあるが、交互玉案内セグメントでなくても良い。この発明では、保持器に存在する複数のセグメントが、一方側交互玉案内セグメントと、他方側交互玉案内セグメントとを含んでいさえすれば良い。この場合でも、一方側交互玉案内セグメントと、他方側交互玉案内セグメントとで、剛性を高めることができるからである。
【００４４】
また、上記第１実施形態では、セグメント４１同士の接合を、リベット４２で行ったが、この発明では、セグメント同士の接合は、ボルトおよびナットで行っても良い。または、この発明では、セグメント同士の接合は、所謂、スナップヒットで行っても良い。詳しくは、各セグメントに突出部を設け、一方のセグメントの貫通穴内を、他方のセグメントの突出部を一時的に変形させて通過させた後、突出部の先端等に設けた返しで、突出部がその貫通穴から抜けないようにして、セグメント同士を接合しても良い。
【００４５】
また、上記第１実施形態では、セグメント４１が、樹脂製であったが、この発明では、セグメントは、金属製であっても良い。
【００４６】
また、上記第１実施形態では、保持器４が、環状であったが、この発明では、次に示す第２実施形態のように、保持器は、非環状であって、開口部を有しても良い。
【００４７】
図４は、第２実施形態の保持器１０４における図３に対応する模式図である。
【００４８】
尚、第２実施形態では、第１実施形態と同一の構成については、同一の参照番号を付して、説明を省略する。また、第２実施形態では、第１実施形態と同一の作用効果や同一の変形例については、記載を省略する。
【００４９】
第２実施形態では、保持器１０４を構成する複数のセグメント４１,１４１のうちで図４に斜線で示す二つのセグメント１４１のみが、それ以外のセグメント４１とは異なる。また、第２実施形態では、保持器１０４が、非環状である点も、第１実施形態と異なる。
【００５０】
第２実施形態でも、保持器１０４の各セグメント４１,１４１は、樹脂からなっている。上記保持器１０４は、略Ｃ字状の形状を有している。尚、第２実施形態では、保持器１０４は、環状でないから、保持器１０４の周方向や軸方向は、原理的には、存在しない。第２実施形態で、周方向や軸方向といった場合には、それは、保持器１０４が搭載される玉軸受の周方向や軸方向を意味することにする。
【００５１】
上記保持器１０４は、周方向のある位相の範囲に一つのみ開口部１８０を有する。また、第２実施形態では、各セグメント４１は、第１実施形態のセグメント４１と同一となっている。
【００５２】
図４に示すように、斜線で示す二つのセグメント（以下、これら二つのセグメントを別セグメントという）１４１,１４１のうちの一方の別セグメント１４１は、開口部１８０に周方向に面すると共に、開口部１８０の周方向の一方側に位置している。また、斜線で示す二つの別セグメント１４１,１４１のうちの他方の別セグメント１４１は、開口部１８０に周方向に面すると共に、開口部１８０の周方向の他方側に位置している。
【００５３】
図４に示すように、各別セグメント１４１は、三つの玉案内部１５０と、四つの連結部１６１〜１６４とを有する。各連結部１６１〜１６４は、同一の軸方向の位置に存在している。上記複数の連結部１６１〜１６４は、玉案内部１５０の間を連結する二つの中央連結部１６２,１６３と、一端部に位置する一端側連結部１６１と、他端部に位置する他端側連結部１６４とを有する。図４に示すように、各連結部１６１〜１６４は、玉案内部１５０の軸方向の端であって周方向の端から周方向に延在している。
【００５４】
図４に示すように、各別セグメント１４１における開口部１８０に面する一端側連結部１６１は、セグメント４１の他端側連結部６３と軸方向に対向している。上記各別セグメント１４１の三つの玉案内部１５０のうちの二つの玉案内部１５０が、開口１８０に面する一のセグメント４１の二つの玉案内部５０と相俟ってポケット１０６を構成する一方、各別セグメント１４１の残りの一つの玉案内部１５０が、開口１８０に面する一のセグメント４１とは別のセグメント４１の玉案内部５０と相俟ってポケット１０６を構成している。
【００５５】
図４において、上記開口１８０に面しておらず、かつ、軸方向の一方側に位置する第１実施形態でのセグメント４１と同一のセグメント４１を、参照番号１９０で示し、開口１８０に面しておらず、かつ、軸方向の他方側に位置する第１実施形態でのセグメント４１と同一のセグメント４１を、参照番号１９１で示している。また、二つの別セグメント１４１,１４１のうちで軸方向の一方側に位置する別セグメント１４１を、参照番号１９４で示し、二つの別セグメント１４１,１４１のうちで軸方向の他方側に位置する別セグメント１４１を、参照番号１９５で示している。上記セグメント１９４は、開口１８０の周方向の一方側に位置すると共に、開口１８０に面している。また、上記セグメント１９５は、開口１８０の周方向の他方側に位置すると共に、開口１８０に面している。また、上記開口１８０に面し、かつ、軸方向の一方側に位置する第１実施形態でのセグメント４１と同一のセグメント４１を、参照番号１９６で示し、開口１８０に面し、かつ、軸方向の他方側に位置する第１実施形態でのセグメント４１と同一のセグメント４１を、参照番号１９７で示している。
【００５６】
上記複数のセグメント１９０と、セグメント１９４とは、一方側交互玉案内セグメントを構成する一方、複数のセグメント１９１と、セグメント１９５とは、他方側交互玉案内セグメントを構成している。上記複数のセグメント１９０と、上記複数のセグメント１９１とは、交互に配置されている。また、上記セグメント１９４と、そのセグメント１９４に周方向の一方側に隣接するセグメント１９０と、一のセグメント１９１とは、交互に配置されている。また、上記セグメント１９５と、そのセグメント１９５に周方向の他方側に隣接するセグメント１９１と、セグメント１９０とは、交互に配置されている。上記複数のセグメント１９０と、セグメント１９４と、複数のセグメント１９１と、セグメント１９５とは、非環状かつ一体の交互配置構造を構成している。上記セグメント１９４は、上記交互配置構造の一端部を構成する一方、セグメント１９５は、上記交互配置構造の他端部を構成している。このようにして、一方側交互玉案内セグメントと、上記他方側交互玉案内セグメントとは、保持器１０４の周方向に交互に配置されている。上記各セグメント１９０の玉案内部５０と、セグメント１９４の玉案内部１５０とは、一方側玉案内部を構成し、各セグメント１９１の玉案内部５０と、セグメント１９５の玉案内部１５０とは、他方側玉案内部を構成している。軸方向に対向する、一方側玉案内部と他方側玉案内部との夫々は、ポケット１０６を構成している。また、これ以外にも、交互玉案内セグメントでないセグメント１９６の二つの玉案内部５０が、他方側セグメントであるセグメント１９５の三つの玉案内部１５０のうちの二つの玉案内部１５０と相俟って、二つのポケット１０６を構成すると共に、一方側セグメントであるセグメント１９４の三つの玉案内部１５０のうちの二つの玉案内部１５０が、交互玉案内セグメントでないセグメント１９７の二つの玉案内部５０と相俟って、二つのポケット１０６を構成している。
【００５７】
保持器のサイズが大きい場合、仮に、保持器が、環状の構造であって、かつ、保持器が、湿度や温度に基づく保持器の伸縮を吸収できない構造であるとすると、保持器に保持器の伸縮に基づく予期せぬ力が作用することがある。そして、この予期せぬ力によって、保持器が所望でない変形をして、玉の転動特性に悪影響を及ぼすことがある。
【００５８】
上記第２実施形態によれば、保持器１０４が非環状の構造を有して、周方向の位相において保持器１０４が存在しない開口部１８０が存在するから、この開口部１８０で樹脂の熱膨張や吸水等に基づく保持器１０４の周方向の伸縮を吸収できる。したがって、保持器１０４に予期せぬ力が作用することを抑制できて、保持器１０４の変形等を抑制できる。
【００５９】
図５は、第３実施形態の保持器２０４における図３に対応する模式図である。
【００６０】
尚、第３実施形態では、第１実施形態と同一の構成については、同一の参照番号を付して、説明を省略する。また、第３実施形態では、第１実施形態と同一の作用効果や同一の変形例についても、記載を省略する。また、図５は、常温での保持器２０４の状態を示している。
【００６１】
第３実施形態の保持器２０４は、一体かつ環状の構造を有している。上記保持器２０４は、複数のセグメント４１と、二つのセグメント２２１と、二つのセグメント２４１とを有する。上記二つのセグメント２２１および二つのセグメント２４１以外のセグメント４１は、第１実施形態のセグメント４１と同一である。上記保持器２０４の各セグメント４１,２２１,２４１は、樹脂からなっている。  
【００６２】
図５に示すように、斜線で示す二つのセグメント２４１の夫々は、第１実施形態のセグメント４１との対比で、二つの玉案内部５０のうちで一端側に位置する一つの玉案内部５０を無くして、一つの玉案内部５０を図５において直線で示される長板部２６０に置き換えた点と、長板部２６０と一つのみ残った玉案内部（この玉案内部を、以下に参照番号２６５で示す）との間に位置するリベット挿通穴を、周方向に延在する長穴２６６とした点とが、異なる。ここで、上記長板部２６０は、保持器２０４を保持器２０４の軸方向の外方から図５に矢印Ｃで示す方向に軸方向に見たとき、保持器２０４の周方向に沿った円弧状の形状をしている。図５に示すように、二つのセグメント２４１は、互いの長板部２６０が軸方向に対向するように配置されている。また、この状態で、一方のセグメント２４１の長穴２６６は、他方のセグメント２４１の長穴２６６に周方向に間隔をおいて位置している。上記長穴２６６の周方向の寸法は、締結部材の一例としてのリベット４２の軸部２７０の径よりも大きくなっている。
【００６３】
また、図５に示すように、ドットのハッチングで示す二つのセグメント２２１の夫々は、第１実施形態のセグメント４１との対比で、周方向の他端側に位置する他端側連結部６３に設けるリベット挿通穴を、周方向に延在する長穴２６７とした点が、異なる。上記長穴２６７の周方向の寸法は、締結部材の一例としてのリベット４２の軸部２７０の径よりも大きくなっている。
【００６４】
図５に示すように、セグメント２４１は、屈曲部２７３を有し、その屈曲部２７３は、長板部２６０につながっている。上記屈曲部２７３は、長板部２６０側から周方向に玉案内部２６５側とは反対側に行くにしたがって軸方向の外方側に屈曲している。セグメント２４１の長板部２６０側の端部２６８は、屈曲部２７３における周方向の長板部２６０側とは反対側の端部から周方向に延在している。
【００６５】
図５に示すように、各セグメント２２１の他端側連結部２６３は、セグメント２４１の長板部２６０側の端部２６８と、セグメント２４１の長穴２６６の周辺部２６９とで挟持されている。図５に示すように、常温において、各セグメント２２１の他端側連結部２６３の長穴２６７と、一のセグメント２４１の長穴２６６とは、軸方向に重なっている。図５に示すように、リベット４２は、セグメント２４１の長板部２６０側の端部２６８に固定されている。上記リベット４２の軸部２７０は、セグメント２４１の長板部２６０側の端部２６８のリベット挿通穴２８３と、セグメント２２１の他端側連結部２６３の長穴２６７と、セグメント２４１の長穴２６６とを通過している。
【００６６】
図５に示すように、常温において、上記軸部２７０は、長穴２６６内を周方向の一方側に移動可能になっており、また、長穴２６６内を周方向の他方側にも移動可能になっている。また、常温において、上記軸部２７０は、長穴２６７内を周方向の一方側に移動可能になっており、また、長穴２６６内を周方向の他方側にも移動可能になっている。上記セグメント２４１は、長穴存在セグメントを構成し、セグメント２２１も、長穴存在セグメントを構成している。
【００６７】
図５において、軸方向の一方側に位置すると共に、長穴を有さないセグメント４１を、参照番号２９０で示し、軸方向の他方側に位置すると共に、長穴を有さないセグメント４１を、参照番号２９１で示している。また、図５において、ドットのハッシングがされたセグメントであると共に、軸方向の一方側に位置するセグメント２２１を、参照番号２９４で示し、ドットのハッシングがされたセグメントであると共に、軸方向の他方側に位置するセグメント２２１を、２９５で示している。上記各セグメント２９０と、セグメント２９４とは、一方側交互玉案内セグメントを構成する一方、各セグメント２９１と、セグメント２９５とは、他方側交互玉案内セグメントを構成している。尚、第３実施形態において、セグメント２４１は、一つのみのセグメントとしかポケット２０６を構成していない。したがって、各セグメント２４１は、一方側交互玉案内セグメントでなく、他方側交互玉案内セグメントでもない。
【００６８】
上記構成において、温度が常温よりも高くなって、保持器２０４が膨張したとすると、ドットのハッチングで示す他方側セグメント２９５の周方向の長穴２６７側の端部が、図５に矢印Ｄで示す方向に伸長すると共に、その長穴２６７側の端部に軸方向に重なる他方側セグメント２４１の周方向の端部が、図５に矢印Ｅに示す方向に伸長するようになっている。そして、それら二つの端部の軸方向に重なる部分が大きくなり、リベット４２の軸部２７０が、長穴２６７内を矢印Ｅで示す方向に移動するようになっている。このようにして、保持器２０４の軸方向の他方側に位置する環状の部分２８１の伸長を、他方側セグメント２９５の長穴２６７で吸収するようになっている。また、同様に、保持器２０４の軸方向の一方側に位置する環状の部分２８０の伸長は、ドットのハッチングで示す一方側セグメント２９４の長穴２６７で吸収するようになっている。
【００６９】
一方、上記構成において、温度が常温よりも低くなって、保持器２０４が収縮したとすると、ドットのハッチングで示す他方側セグメント２９５の周方向の長穴２６７側の端部が、図５に矢印Ｅで示す方向に収縮すると共に、その長穴２６７側の端部に軸方向に重なる他方側セグメント２４１の周方向の端部が、図５に矢印Ｄに示す方向に収縮するようになっている。そして、それら二つの端部の軸方向に重なる部分が小さくなり、リベット４２の軸部２７０が、長穴２６７内を矢印Ｄで示す方向に移動するようになっている。このようにして、保持器２０４の軸方向の他方側に位置する環状の部分の収縮を、他方側セグメント２９５の長穴２６７で吸収するようになっている。また、同様に、保持器２０４の軸方向の一方側に位置する環状の部分２８０の収縮は、ドットのハッチングで示す一方側セグメント２９４の長穴２６７で吸収するようになっている。この保持器２０４は、このようにして温度変動による伸縮を吸収するようになっている。
【００７０】
上記第３実施形態によれば、長穴２６７内での軸部２７０の周方向の移動によって保持器２０４の熱膨張や吸水等に基づく伸縮を吸収できる。したがって、保持器２０４に予期せぬ力が作用することを抑制できて、保持器２０４の変形等を抑制できる。
【００７１】
また、上記第３実施形態によれば、環状構造であって、かつ、保持器２０４の伸縮を吸収できる構成を実現できるから、開口部が存在する非環状の構造と比較して、開口部の存在に基づく挙動の不安定性が発生することがなく、また、開口部の存在に基づく異音が発生することもない。第３実施形態のような構造を実現することにより、第２実施形態で分離した部分の保持器の挙動を安定させることができ、かつ、全体の周長が熱膨張や吸水などによって伸縮するときの対応ができるのである。
【００７２】
尚、上記第３実施形態では、長穴存在セグメントが、玉案内部を有していた。しかしながら、この発明では、長穴セグメントは、玉案内部を有さなくても良い。
【００７３】
また、上記第３実施形態では、長板部２６０が存在する箇所で、周方向に隣接するリベット４２の間にポケットが存在しないようになっていた。しかしながら、この発明では、周方向に隣接する接合部（例えば、締結部で構成できる）の全ての間にポケットが存在しても良く、長板部が存在しなくても良い。
【００７４】
尚、この発明では、セグメントが樹脂である場合、セグメントを射出成形で製造でき、セグメントが金属である場合、セグメントをプレス成形で製造できる。また、この発明の保持器は、ＰＣＤが大きいＣＴスキャナの旋回座軸受に好適に使用できるが、この発明の保持器を、如何なるサイズの玉軸受に適用しても良く、ＣＴスキャナの旋回座軸受以外の如何なる一般産業機械や建設機械に適用しても良い。また、上記実施形態および変形例で説明した構成のうちの二以上の構成を組み合わせて新たな実施形態を構築できることは、勿論である。
【符号の説明】
【００７５】
１  外輪
２  内輪
３  玉
４,１０４,２０４  保持器
６,１０６,２０６  ポケット
４１,１４１,２４１  保持器のセグメント
４２  保持器のリベット
５０,１５０,２６５  玉案内部
５１  連結部
６１,１６１  一端側連結部
６２,１６２,１６３  中央連結部
６３,１６４  他端側連結部
８１  一端側連結部のリベット挿通穴
８２  中央連結部のリベット挿通穴
８３  他端側連結部のリベット挿通穴
９０,１９０,１９４,２９０  一方側交互玉案内セグメント
９１,１９１,１９５,２９１  他方側交互玉案内セグメント
１８０  開口部
２２１,２４１  長穴存在セグメント
２６０  長板部
２６６,２６７  長穴
２７０  リベットの軸部
【図１】
2015197107.tif 000003
【図２】
2015197107.tif 000004
【図３】
2015197107.tif 000005
【図４】
2015197107.tif 000006
【図５】
2015197107.tif 000007